(57)【要約】【課題】本発明は、紫外線の遮断と携帯、保管及び取扱いの容易性を有する目的を達成しながら、祭りまたはパーティーなどでも自分を目立つようにするための手段として活用できる日差し除け機能付き仮面を提供すること。【解決手段】本発明による日差し除け機能付き仮面は、目の位置に視界窓が形成される仮面体と前記視界窓を開閉しながら回動自在に形成されるウインドーとを含めた仮面部、及び、前記仮面体に結合されており、頭部につけられるようになっているバンド体と、前記バンド体に備えられ、体形に応じて調整可能となっている拘束手段とを備えたバンド部を含んでなることを特徴とする。【選択図】図１
2013521854.tif 000002
【特許請求の範囲】
【請求項１】
目の位置に視界窓が形成される仮面体と、前記視界窓を開閉し、且つ回動自在に形成されるウインドーを有する仮面部と、
前記仮面体に結合し、頭部に付けることができるようになっているバンド体と、前記バンド体に備えられ、体形に応じて拘束できる拘束手段を有するバンド部を含んでなることを特徴とする日差し除け機能付き仮面。
【請求項２】
前記ウインドーは、前記視界窓の上側に結合され、
前記視界窓の下側と前記ウインドーの上側には、開閉された前記ウインドーが動かないようにするためのウインドー拘束具がそれぞれ備えられていることを特徴とする請求項１に記載の日差し除け機能付き仮面。
【請求項３】
前記バンド体の裏面には、身体との密着力を高めると共に空気がよく通るようにするための離隔手段が形成されていることを特徴とする請求項１に記載の日差し除け機能付き仮面。
【請求項４】
前記仮面体の両側に形成され、着用時、脱落することを防止する耳掛け部と、
前記仮面体の裏面に形成され、着用時、前記仮面体が使用者の顔面に密着することを防止する密着防止具とをさらに備えており、
前記密着防止具の内側端部には密着ベースが形成されていることを特徴とする請求項１に記載の日差し除け機能付き仮面。
【請求項５】
前記離隔手段は、等間隔で配設される複数個の空気袋と、
複数個の前記空気袋を連結する通路と、
前記空気袋に設けられる空気注入口とを、含むことを特徴とする請求項３に記載の日差し除け機能付き仮面。
【請求項６】
前記離隔手段は、自体弾性と伸縮性を有する伸縮パッドを複数個、等間隔で配設して構成することを特徴とする請求項３に記載の日差し除け機能付き仮面。
【発明の詳細な説明】
【技術分野】
【０００１】
本発明は、日差し除け機能付き仮面に関するものであり、さらに詳細には、屋外で活動をする際に太陽光線を遮断することにより、紫外線に因り生じ得る顔面における異常または損傷を予防すると共に、祭りまたはパーティーなどで外的な美感を高める目的で使用できるようにした日差し除け機能付き仮面を提供することに関する。
【背景技術】
【０００２】
夏季のように直射光線が強い場合は、日光に直接皮膚が露出されると肌に良くない影響を与え、特に女性の場合は、皮膚の色素沈着、皮膚の老化、皮膚ガンの発生などの危険性がある。また、日光アレルギーがある人の場合は、アレルギーの発生、しみ、そばかすなどの皮膚色素疾患を悪化させると共に、光線で悪化する皮膚疾患の状態をさらに悪化させる問題を引き起こしているのが実情である。
【０００３】
上記のように紫外線に露出することにより発生する肌のトラブルを解消するために日差し除け手段を用いるが、通常、つばつき帽子、つばを上下方向に可変可能に備えて顔を覆うことができるようになっている帽子、または、布製の日差し除けをバンド固定して顔部を覆うことができるようになっているフェイスカバーなど、多種多様である。
【０００４】
本願出願人も、顔に直射する日光を遮断できるように「遮光用帽子」という名称で実用新案登録出願を行い、登録を受けたことがある。(特許文献１参照)。これについて図７を参照しながら簡単に述べると、次のとおりである。
【０００５】
遮光用帽子１は、フロントボディー２とリアボディー３とからなり、通気孔４を形成したヘルメットのような形態の帽子体５を備え、前記帽子体５の前面部には視界確保のための視界窓６を形成し、上下開閉できる窓カバー７で仕上られている。
【０００６】
上記フロントボディー２とリアボディー３は、上部の中央部を結合する中央結束具と両側を結合する側方結束具とからなる結束具１０により着脱自在になっている。
【０００７】
前記帽子体５の下端には、露出される顔部または頭部と首部への日光は遮断しながら、通気可能となるようにフロントカーテン１１とリアカーテン１２を備えて構成している。
【先行技術文献】
【特許文献】
【０００８】
【特許文献１】韓国実用新案登録第４４０７５７号
【発明の概要】
【発明が解決しようとする課題】
【０００９】
上記のような従来の技術を適用した遮光用帽子は、使用者の頭部はもちろん顔全体をカバーする形態を呈しているため、日差し除けの長所はあるが、帽子全体のサイズが大きくなり嵩張るといった短所もある。こうした短所を解決するために、それぞれ分離可能になっているものもあるが、分離した状態でも一般の帽子に比べて嵩張るため、携帯や保管に不都合である。
【００１０】
また、帽子を着用する場合は、分離状態から結合させなければならず、しかも携帯したり、保管したりするためには着用していた帽子を脱いで分離しなければならない煩わしさがあり、遮光用帽子の着用者の多くが女性である点を勘案すると、分離や結合が容易でないと共に、小さい鞄を持っている場合は、それに収めるのが難しく、帽子保管用の鞄を別途携帯しければならない問題があった。
【００１１】
帽子のボディーに通気孔を形成してあるが、帽子自体が顔と頭を完全に覆う形態からなっているため、円滑な通気が難しく、特に夏季のように高温の場合には、通気不良のため、帽子の内部温度が急上昇することになり、帽子を着用した状態で歩行したり、運転をしたりすることが困難であり、じっとしている状態でも正常な呼吸維持が難しいという問題もあった。
【００１２】
帽子の内部に間隔維持具または着用バンドを備えているが、実際、着用する場合は、身体に接して密着状態を維持したり、着用した状態で風や歩行による振動などにより揺れやすくなるという点で着用感がよくないといえる。
【００１３】
帽子を着用する使用者の身体条件は様々であるため、多くの使用者を満足させるには多様なサイズで製作しなければならない。そのため、製造コストが高くなり、製品原価を上昇させる原因として働き、対外的な競争力が弱くなるなどのような様々な問題点が生じる。
【課題を解決するための手段】
【００１４】
したがって、本発明は、前記のような問題点を解決するために発明されたものであって、目の位置に視界窓が形成される仮面体と、前記視界窓を開閉し、回動自在に形成されるウインドーを有する仮面部と、前記仮面体に結合されており、頭部につけられるようになっているバンド体と、前記バンド体に備えられ、体形に応じて調整可能となっている拘束手段を備えたバンド部を含んでなることを特徴とし、紫外線の遮断と携帯、保管及び取扱の容易性を有する目的を達成しながら、祭り及びパティーなどで目立たせるための手段としても活用できるなどの特徴がある。
【発明の効果】
【００１５】
本発明は、実質的に使用者の顔部のみをカバーし、日光の照射を防止し得るようにすることよって、遮光の機能を基本に着用の容易性と保管、携帯及び取扱の容易性を提供し、使用者の利便性を高める。また、製造コストを低減すると共に、遮光の目的の他に舞踏会またはパーティーなどでも活用できる。
【図面の簡単な説明】
【００１６】
【図１】本発明による日差し除け機能付き仮面を示した全体斜視図である。
【図２】本発明による日差し除け機能付き仮面の仮面部を示した斜視図である。
【図３】本発明による日差し除け機能付き仮面のバンド部を示した斜視図である。
【図４】本発明による日差し除け機能付き仮面の仮面部を示した断面図である。
【図５】本発明による日差し除け機能付き仮面のバンド部を示した断面図であって、（ａ）は、他の例の断面図である。
【図６】本発明による日差し除け機能付き仮面の使用状態を示した図である。
【図７】従来の技術による日差し除け機能付きヘルメットを示した構成図である。
【発明を実施するための形態】
【００１７】
以下、添付の図面に基づいて、前記目的を達成するための本発明の構成と作用について詳細に説明する。
【００１８】
図１は本発明による日差し除け機能付き仮面を示した全体斜視図であり、図２は本発明による日差し除け機能付き仮面の仮面部を示した斜視図であり、図３は本発明による日差し除け機能付き仮面のバンド部を示した斜視図であり、図４は本発明による日差し除け機能付き仮面の仮面部を示した断面図であり、図５は本発明による日差し除け機能付き仮面のバンド部を示した断面図であって、（ａ）は他の例の断面図である。また、図６は、本発明による日差し除け機能付き仮面の使用状態を示した図である。
【００１９】
本発明による日差し除け機能付き仮面１００は、顔の前面部と同じ形状で成型し、顔に照射される日光を遮断する仮面部１０１と、前記仮面部１０１をボタン、ベルクロなどのような結合手段を通じて結合し、仮面部１０１を安定して維持するバンド部１０２とからなる。
【００２０】
前記仮面部１０１は、額から顎までの顔面をカバーするために、鼻の位置は突出し、目の位置に視界窓１０３を形成することにより、全体的に顔と同じ形状をした仮面体１０４を備える。
【００２１】
前記仮面体１０４は、ゴム、合成樹脂(プラスチック)または布地のように成型性のよい、軽い材質から製作することにより、重さを減らし、着用感を高めるようにすることはもちろん、携帯及び保管の際に自由に折り畳むことができると共に、元の状態への復帰も可能とすることが望ましく、仮面体１０４は、不透明な状態に製作したうえで、その表面に美感向上のための彩色またはデザインを加えてもよい。
【００２２】
前記視界窓１０３の上側には上下方向に回動自在なウインドー１０５を備え、前記視界窓１０３の下側とウインドー１０５の上側には開放・閉鎖されたウインドー１０５を動かないようにするためのウインドー拘束具１０６をさらに備える。
【００２３】
前記ウィンドー１０５はサングラスに用いられる偏光フィルムのように紫外線を遮断しながら、乱反射を防止できるフィルム系の材質が望ましく、前記ウインドー拘束具１０６は、ウインドー１０５と仮面体１０４に雄雌型のボタン、トグルスイッチ、ベルクロなどのような様々な形態で実施することができる。
【００２４】
前記仮面体１０４の両側には耳掛け部１０７をさらに備え、仮面１００の着用時、容易に離脱してしまうような現象を防止することができるようにする。また、仮面体１０４の裏面には、着用時に仮面体１０４が使用者の顔面に密着することを防止すべく密着防止具１０８を備えている。
【００２５】
前記密着防止具１０８の位置は、使用者の顔面のどこに位置しても構わないが、ほっぺたの中央部の周囲に形成することがより安定した状態で支持することができ、仮面体１０４に一体化して突出するように形成したり、仮面体１０４と別途に形成し、通常の固定手段または結合手段を通じて着脱可能にしてもよい。
【００２６】
前記密着防止具１０８において、身体に接する内側端部には身体と接触する面積を広げ、身体への損傷を防止しながら接着に伴う不快感を覚えることがないように吸板のような形態の密着ベース１０９が形成されている。
【００２７】
前記バンド部１０２は、所定の幅を有しており、額から後頭部にかけて巻いて拘束することができるようにバンド体１１０を備え、前記バンド体１１０は、布製または革製、伸縮性のある合成樹脂製などの多様な材質のものを選択することができる。
【００２８】
前記バンド体１１０は、通常の頭囲より長く形成し、両端部には使用者の体形（頭囲）に応じて拘束することができるようにベルクロ又は雌雄型ボタンのような拘束手段１１１を備える。
【００２９】
前記バンド体１１０の裏面（身体と接する部位）には身体との密着力を高めると共に身体との接触部位への換気を円滑にするために離隔手段１１２を備える。
【００３０】
前記離隔手段１１２は、複数個の空気袋１１３を等間隔で配設し、前記空気袋１１３同士は管状の通路１１４を通じて連結し、互いに連通するようになっており、前記一側の空気袋１１３には空気注入口１１５を設置し、空気の注入と排出による膨張・収縮で身体との密着状態を維持することができるようになっている。
【００３１】
もちろん、前記空気袋１１３の形状は、四角形、円形、半円形などの多様な形状で実施できることは言うまでもなく、前記離隔手段１１２の他の例としてスポンジ、ウレタンフォームなどのように自体弾性により優れた伸縮性を備えた伸縮パッド１１６を複数個、等間隔で配設して構成してもよい。
【００３２】
次いで、前記したように本発明による日差し除け機能付き仮面１００の使用状態について述べる。
【００３３】
仮面部１０１とバンド部１０２とを結合手段で組み合わせてから、バンド部１０２を使用者の頭部にヘアバンドを着用するように巻いて着用するが、バンド体１１０の裏側面が額に接するようにして、バンド体１１０の両端部に備わる拘束手段１１１を利用して後頭部にて緊密な状態を維持し拘束することによって着用することができるようになっている。
【００３４】
この際、バンド部１０２と結合した仮面部１０１は、使用者の顔をカバーする形態となっており、使用者の目の位置は、仮面体１０４に形成される視界窓１０３に一致するので、前方の視界確保に支障がない。
【００３５】
また、視界窓１０３の上側には紫外線の遮断機能を有するフィルムなどから構成されるウインドー１０５がさらに備えられているため、必要に応じて選択的に視界窓１０３に向かって上げたり下げたりして使用することができる。
【００３６】
前記ウインドー１０５を視界窓１０３に向かって上げたり下げたりした状態では、両方のウインドー１０５、１０５が開閉する位置の仮面体１０４に備わるウインドー拘束具１０６によりウインドー１０５が開閉状態を維持することができるため、仮面１００を着用した状態で動いてもウインドー１０５がずれることはない。
【００３７】
こうした状態で仮面体１０４の両側に備わる耳掛け部１０７を使用者の耳にかけることにより、バンド部１０２と共に仮面１００をさらに安定した状態で着用することができるようになるのである。
【００３８】
そして、仮面１００は、仮面部１０１に備わる密着防止具１０８とバンド部１０２に備わる離隔手段１１２とにより、顔にぴったり密着することなく、通気可能な所定の空間を維持したうえで着用できることから、紫外線は遮断しながらも通気性はよくなり、着用の際に抵抗感を感じることがなくなる。
【００３９】
以下、前記密着防止具１０８と離隔手段１１２により仮面１００が顔面との所定の間隔を維持することができる過程について説明する。
【００４０】
密着防止具１０８は、バンド部１０２と耳掛け部１０７により仮面体１０４が顔の方向に近接することになるが、仮面１０４の裏側から突出する密着防止具１０８の先端に一体化して備えられる密着ベース１０９が顔のほっぺた部位と接し、それ以上密着することを抑えながら、歩行時の動きによる振れも解消させられる。
【００４１】
バンド部１０２に備わる離隔手段１１２は、空気注入口１１５を介して空気を注入すると、バンド体１１０の裏側面で通路１１４により連結されている多数の空気袋１１３が膨張しながら、額とバンド体１１０との間隔を維持させると共に、堅固で緊密な状態での着用を可能とさせる。
【００４２】
また、離隔手段１１２が伸縮パッド１１６から成された場合でも、バンド体１１０を拘束手段１１１で着用すると、一瞬収縮されるが、再び自体弾性により復帰しようとする力が生じ、この力により緊密な状態の密着性を確保しながら伸縮パッド１１６それ自体により身体との所定間隔を維持し、通気可能とさせるのである。
【００４３】
こうした本発明による日差し除け機能付け仮面１００は、紫外線の遮断はもちろん、祭りまたはパーティーなどでも自分を目立たせるための手段として活用でき、嵩張ることなく、折畳んで元の通りにするのが簡単であるため、携帯や取り扱いが容易である。
【符号の説明】
【００４４】
１００  日差し除け機能付き仮面 
１０１  仮面部
１０２  バンド部
１０４  仮面体
１０５  ウインドー
１１０  バンド体
１１１  拘束手段
１１２  離隔手段
１１３  空気袋
１１５  伸縮パッド
【図１】
2013521854.tif 000003
【図２】
2013521854.tif 000004
【図３】
2013521854.tif 000005
【図４】
2013521854.tif 000006
【図５】
2013521854.tif 000007
【図６】
2013521854.tif 000008
【図７】
2013521854.tif 000009
【国際調査報告】
2013521854.tif 000010
2013521854.tif 000011
2013521854.tif 000012
2013521854.tif 000013